(57)【要約】      （修正有）【課題】携帯電話であっても、電話中に両手を空けることができる補助具であって、補助具への電話機保持が容易であって、耳と肩の間で挟み、保持が容易である一体型の用具を提供する。【解決手段】本電話機補助具は、外力により圧縮可能な弾力性を有する部材で構成された電話機補助具であって、肩当て面と電話保持面を備え、肩当て面には滑り止め部材を具備し、電話機保持面には電話機保持部材を具備し、電話機保持部材は２ヶ所の開口部を有して電話保持面に固定される事を特徴とする。【選択図】図４
0003157186.tif 000002
【実用新案登録請求の範囲】
【請求項１】
外力により圧縮可能な弾力性を有する部材で構成された電話機補助具であって、肩当て面と電話保持面を備え、肩当て面には滑り止め部材を具備し、電話機保持面には電話機保持部材を具備し、電話機保持部材は２ヶ所の開口部を有して電話保持面に固定される事を特徴とする電話機補助具。
【考案の詳細な説明】
【技術分野】
【０００１】
本考案は、携帯電話を耳と肩の間に挟むことを容易にする電話機補助具に関するものである。
【背景技術】
【０００２】
電話機を使用する際には、片手で送受話器を持って通話するのが一般的である。通話しながら手帳を開いてメモを取るなどの場合に両手を使うためには、何らかの方法で送受話器を耳元に保持しなければならない。携帯電話の場合も、何らかの方法で携帯電話を耳元に保持しなければならない。
【０００３】
人によっては、首を傾けて受話器を耳と肩の間に挟むことで両手を使用可能な状態とし、電話で会話を行いながら手作業を遂行することができる者もいる。しかし、これは誰にでも容易にできる芸当ではなく、また近年の薄型になった携帯電話の場合、耳と肩の間に挟むことは、更に困難になっていた。
【０００４】
一方、電話中に両手を空けることができ、電話で会話をしながら同時に様々な作業を平行して行うことが可能な用具として、数多くの考案がある。例えば肩掛け式受話器保持具、（特許第３６４９３６９号公報）は、受話器の保持部と肩挟持部とからなる構成となっていて、受話器の保持部には、２本の面接合ファスナーを備えている。しかしながら、受話器の保持に２ヶ所の固定は手間であった。また、肩挟持部は、肩を前後から挟持することが可能なように略逆Ｕ字状に形成するとされている。しかしながら、肩幅の大きい人、多くの服を着込んでいる厚着の人、肩幅の狭い華奢な人、薄着の人では、各人の肩幅に合わせる事が容易ではなかった。更に人によって首の長さもさまざまでる。
【０００５】
また、電話機補助具、（特開２００４−２０７８６１号公報）では、ベルトグリップと、肩当て板からなる構成としていた。しかしながら、ベルトグリップと、肩当て板など分離する部材構成では、保管や携帯に不向きであった。
【特許文献１】特許第３６４９３６９号公報
【特許文献１】特開２００４−２０７８６１号公報
【考案の開示】
【考案が解決しようとする課題】
【０００６】
上記のように従来の構成の電話機補助具では、肩挟持部が人の体格に合わない場合があったり、また受話器の保持が手間であったり、分離する構造のものであるなどの課題があった。更に薄型の携帯電話では、従来の設置電話以上に耳と肩との間で保持する事が困難になっており、携帯電話であっても、電話中に両手を空けることができる補助具であって、補助具への電話機保持が容易であって、耳と肩の間で挟み保持が容易である一体型の用具が望まれていた。
【課題を解決するための手段】
【０００７】
上記目的を達成するために本考案の電話機補助具は、外力により圧縮可能な弾力性を有する部材で構成された電話機補助具であって、肩当て面と電話保持面を備え、肩当て面には滑り止め部材を具備し、電話機保持面には電話機保持部材を具備し、電話機保持部材は２ヶ所の開口部を有して電話保持面に固定される事を特徴とする。
【０００８】
外力により圧縮可能な弾力性を有する部材には、布や伸縮性のある織布に、スポンジやウレタンや綿等を組み合わせた物、又は、熱溶着、接着、又は縫製によって成形したビニルの内側にスポンジやウレタンや綿等を組み合わせた物、ゴム、樹脂類、等を使っても良い。他に、熱溶着又は接着によって成形したビニルチューブに空気を吹き込んで膨らませた物としても良い。他に、熱溶着又は接着によって成形したビニルチューブに空気を吹き込んで膨らませた物としても良い。その他にも採用できるものがいろいろと考えられることは言うまでもない。
【考案の効果】
【０００９】
本考案の電話機補助具は、携帯電話を耳と肩の間で挟み保持が容易になる事で、両手が自由となり、電話で会話をしながら同時に様々な作業を平行して行うことが可能となり、仕事の効率を向上させることができる。
【考案を実施するための最良の形態】
【００１０】
本考案の電話機補助具は、肩当て面と電話保持面を備えているが、補助具事態の形状も肩の上に乗せただけの状態で、勝手に落ちないよう肩に乗せたときに肩の前後で、重量バランスの取れた形状であることが望ましい。また、携帯電話にも幅の広いもの、厚みの厚いものもあり、携帯電話の機種ごとに合わせた保持部材を備える事が望ましい。
【実施例１】
【００１１】
以下、本考案の実施形態を、詳しく説明する。図１は、携帯電話補助具を電話保持面方向から見た斜視図である。１０は携帯電話補助具を示し、１１は電話機保持面、１２は電話機保持部材、１３、１４は開口部、１５、１６は縫い付け部である。電話機保持部材１２は、開口部１３、１４を有しながら、縫い付け部１５、１６にて電話機保持面に縫い付けられている。図１では、電話機保持部材１２の電話機保持面１１への固定を縫い付けられた状態を示したが、これに限定するものではない。
【００１２】
携帯電話補助具１０は、全体をぬいぐるみやクッションに使用する部材、例えば、布や伸縮性のある織布に、スポンジやウレタンや綿等を組み合わせた物であって、外力により圧縮可能な弾性を有した部材にて成っている。又、熱溶着、接着、又は縫製によって成形したビニルの内側にスポンジやウレタンや綿等を組み合わせた部材、ゴム、樹脂類、等を使っても良い。また、他に、カバーのクッション材としては、熱溶着又は接着によって成形したビニルチューブに空気を吹き込んで膨らませた部材とする場合もある。
【００１３】
更に、電話機保持部材１２は、レース生地、メッシュ生地など、携帯電話を保持した後に携帯電話の表示面又は、ボタン面が認識できる方が望ましい。また、電話機保持部材１２は、全体またはその一部に、透明のビニルやポリカーボネイトなどの樹脂シートを使用する場合もある。
【００１４】
図２は、携帯電話補助具を肩当て面方向から見た斜視図である。１７は肩当て面を示し、１８は滑り止め部材である。図２では肩当て面１７の一部に滑り止め部材１８を配した状態を示したが、肩当て面１７全てを滑り止め部材１８で形成する場合もある。
【００１５】
滑り止め部材１８には、カーペットの下に敷いて使用する滑り止めシートや、ノンスリップ不織布などを用いる場合もある。滑り止め部材１８の材料は、ポリ塩化ビニル、ポリアミド、レーヨンで構成される場合もあり、塩化ビニルと酢酸ビニルの共重合体、ポリ塩化ビニルとポリ酢酸ビニルの混合物の何れかと可塑剤とを含有するペーストゾルを固化させて得られる材料である場合などもあり、シリコンを主たる材料とする材料である場合もある。しかし、ここでは滑り止め部材の材料までは限定しない。
【００１６】
図３は、携帯電話補助具が携帯電話を保持した状態を示す斜視図である。２１は携帯電話表示部を示し、２２はボタン部、２３はヒンジ部、２４はスピーカー部を示している。携帯電話補助具１０で携帯電話２１を保持する為には、表示面２１を電話機保持面１１と電話機保持部材１２の隙間である開口部１３から滑り込ませ、スピーカー部２４が開口部１４から出た状態にする。
【００１７】
この時、電話機保持面１１は、携帯電話表示部２１に押されて沈み込み、携帯電話は、圧縮された電話機保持面１１の弾性と電話機保持部材１２にて保持される。
【００１８】
携帯電話補助具１０での携帯電話２１の保持は、携帯電話に着信があってからでも良く、着信前に保持させておくことでも良く、着信前に携帯電話２１を保持させた場合、携帯電話を閉じた状態で、置いておくこともある。この時着信があれば、携帯電話を開き、スピーカー部２４を耳に当てて、通話を開始する。その後首を傾け、若干肩を上げる事で、肩と耳の間で携帯電話を保持する。
【００１９】
図４は、携帯電話補助具の使用状態を示す図である。この時使用者は、頭を若干傾け、肩当て面１７を肩に当て、肩も若干上げて耳で携帯電話のスピーカー部２４を押さえる事で、耳と肩の間で携帯電話を挟み保持している。肩当て面１７には滑り止め部材１８が具備されており、携帯電話２１と一体になった携帯電話補助具１０が肩から滑り落ちる事を防止している。
【００２０】
この時、肩当て面１７は、肩からの外力により圧縮され、よって使用者の肩の形状に合わせた形に変形し、肩と耳の間で挟み込みが安定して行われる。
【００２１】
図５は、携帯電話補助具が携帯電話を保持した状態を携帯電話補助具の厚み方向から見た斜視図である。この時電話機保持面１１と肩当て面１７は平行面ではなく角度を持つように設定されている。
【００２２】
図６は、スイカを切り落とした形状に製作した携帯電話補助具の厚み方向から見た斜視図である。図１の携帯電話補助具形状は、枕のような形状をしているが、形状的にはこれに限定するものではなく、図６の様に、スイカを切り落とした様な形状である場合もあり、また、みかん、ショートケーキ、更に骨や三日月のような形状を成す場合もあり、キャラクターデザインを使用する場合もある。
【産業上の利用可能性】
【００２３】
本考案の携帯電話補助具を事務所などで使用する場合、携帯電話を耳と肩に挟んで保持する事が容易となり、よって両手が自由となり、電話で会話をしながら同時に様々な作業を平行して行うことが可能となり、仕事の効率を向上させることができる。
【図面の簡単な説明】
【００２４】
【図１】携帯電話補助具を電話保持面方向から見た斜視図である。
【図２】携帯電話補助具を肩当て面方向から見た斜視図である。
【図３】携帯電話補助具が携帯電話を保持した状態を示す斜視図である。
【図４】携帯電話補助具の使用状態を示す図である。
【図５】携帯電話補助具が携帯電話を保持した状態を携帯電話補助具の厚み方向から見た斜視図である。
【図６】スイカを切り落とした形状に製作した携帯電話補助具の厚み方向から見た斜視図である。
【符号の説明】
【００２５】
１０  携帯電話補助具
１１  電話機保持面
１２  電話機保持部材
１３  開口部
１４  開口部
１５  縫い付け部
１６  縫い付け部
１７  肩当て面
１８  滑り止め部材
２１  携帯電話表示部
２２  ボタン部
２３  ヒンジ部
２４  スピーカー部
【図１】
0003157186.tif 000003
【図２】
0003157186.tif 000004
【図３】
0003157186.tif 000005
【図４】
0003157186.tif 000006
【図５】
0003157186.tif 000007
【図６】
0003157186.tif 000008